(57)【要約】【課題】開閉部と第１の移動部の間の第１の搬送路で発生したシートの詰まりを容易に解除可能でかつ、第１の移動部に支持される第２の移動部が本体部と形成する第２の搬送路について高い寸法精度を確保可能なシート搬送装置を提供する。【解決手段】シートＳを搬送する搬送部３０を有する本体部１００と、前記本体部１００に対して開閉可能に支持される開閉部２００と、前記開閉部２００との間でシートＳが搬送される第１の搬送路１０８を形成する第１の位置及び前記第１の搬送路１０８が開放される第２の位置に移動可能に支持される第１の移動部２０４と、前記第１の移動部２０４に対して移動可能に支持される第２の移動部２０５と、前記本体部１００に設けられ、前記開閉部２００が閉じられた状態で前記第２の移動部２０５に当接することで、前記第２の移動部２０５と共に第２の搬送路１０９を構成するガイド部材３２と、を備える。【選択図】図１
2018076129.tif 000002
【特許請求の範囲】
【請求項１】
シートを搬送する搬送部を有する本体部と、
前記本体部に対して開閉可能に支持される開閉部と、
前記開閉部との間でシートが搬送される第１の搬送路を形成する第１の位置及び前記第１の搬送路が開放される第２の位置に移動可能に支持される第１の移動部と、
前記第１の移動部に対して移動可能に支持される第２の移動部と、
前記本体部に設けられ、前記開閉部が閉じられた状態で前記第２の移動部に当接することで第２の移動部を位置決めし、前記第２の移動部と共に第２の搬送路を構成するガイド部材と、を備える、
ことを特徴とするシート搬送装置。
【請求項２】
前記開閉部が閉じられた状態で、前記第２の移動部を前記ガイド部材に近づく方向に付勢する付勢部が設けられている、
ことを特徴とする請求項１に記載のシート搬送装置。
【請求項３】
前記付勢部は、前記第１の移動部を前記第１の位置に付勢する、
ことを特徴とする請求項２に記載のシート搬送装置。
【請求項４】
前記付勢部は、前記第２の移動部と前記開閉部との間に配置される、
ことを特徴とする請求項２又は３に記載のシート搬送装置。
【請求項５】
前記第１の移動部は前記開閉部に対して回動可能に支持され、
前記第２の移動部は前記第１の移動部に対して回動可能に支持され、
前記付勢部は、前記開閉部が閉じられた状態において、前記第１の移動部を第１の軸を中心として第１の回動方向に付勢し、かつ前記第２の移動部を、前記第１の軸と平行な第２の軸を中心として前記第１の回動方向とは反対の第２の回動方向に付勢する、
ことを特徴とする請求項２乃至４のいずれか１項に記載のシート搬送装置。
【請求項６】
前記開閉部は、前記第１の移動部が前記第１の位置に位置するときに前記第１の移動部と当接する当接部を有し、
前記付勢部は、前記開閉部が開かれた状態において、前記第１の移動部を第１の付勢力で前記当接部に付勢し、前記開閉部が閉じられた状態において、前記第１の移動部を前記第１の付勢力より大きな第２の付勢力で前記当接部に付勢する、
ことを特徴とする請求項２乃至５のいずれか１項に記載のシート搬送装置。
【請求項７】
前記付勢部は、ねじりコイルばねである、
ことを特徴とする請求項２乃至６のいずれか１項に記載のシート搬送装置。
【請求項８】
前記開閉部が閉じられた状態において、前記本体部は、前記ガイド部材と前記第２の移動部とに対向する本体ガイド部を有し、
前記本体ガイド部と、前記ガイド部材及び前記第２の移動部と、の間で前記第２の搬送路が形成されている、
ことを特徴とする請求項１乃至７のいずれか１項に記載のシート搬送装置。
【請求項９】
前記ガイド部材は、前記本体部に固定されている、
ことを特徴とする請求項１乃至８のいずれか１項に記載のシート搬送装置。
【請求項１０】
前記ガイド部材は、前記第２の搬送路の少なくとも一部が開放可能となるよう、前記本体部に回動可能に支持されている、
ことを特徴とする請求項１乃至８のいずれか１項に記載のシート搬送装置。
【請求項１１】
請求項１乃至１０のいずれか１項に記載のシート搬送装置と、
前記シート搬送装置によって搬送されるシートに画像を形成する画像形成手段と、を備える、
ことを特徴とする画像形成装置。
【請求項１２】
前記画像形成手段は前記本体部の上部に配置され、
前記第１の搬送路及び前記第２の搬送路は、前記画像形成手段にシートを案内する主搬送路と、前記主搬送路に並設されて、前記画像形成手段によって画像が形成されてスイッチバックされたシートが案内される再搬送路と、を接続する湾曲搬送路を構成する、
ことを特徴とする請求項１１に記載の画像形成装置。
【発明の詳細な説明】
【技術分野】
【０００１】
本発明は、シートを搬送するシート搬送装置及びこれを備える画像形成装置に関する。
【背景技術】
【０００２】
一般に、小型のプリンタ、ファクシミリ、複写機等の画像形成装置においては、シートが略鉛直上方に搬送されながら画像形成部を通過して、シートの表面に画像が形成される。また、シートの両面に画像が形成される場合には、一度画像形成部を通過したシートの表裏が逆にされた状態で略鉛直下方に搬送された後に再び画像形成部を通過し、シートの裏面に画像が形成される。このとき、シートが略鉛直下方に搬送される搬送路と、シートが略鉛直上方に搬送される搬送路と、は湾曲した搬送路により緩やかに接続される。
【０００３】
従来、特許文献１に示すように、シートを反転可能な反転搬送ユニットを備える画像形成装置において、搬送路内でシートが詰まった場合に、反転搬送ユニット等を開放して搬送路内に滞留したシートを操作者が除去可能な画像形成装置が提案されている。この画像形成装置は、開閉可能な反転搬送ユニットが装置本体に回動可能に支持されており、反転搬送ユニットのベースである本体フレームの内側に開閉可能な内側ガイド板が本体フレームに回動可能に支持されている。
【０００４】
上記特許文献１の画像形成装置においては、内側ガイド板の更に内側に、開閉可能な側部カバー部材が装置本体に回動可能に支持されている。側部カバー部材と装置本体との間には、シートが上方へ向けて画像形成部に搬送される主搬送路が形成されている。本体フレームと内側ガイド板との間には、シートの再搬送によりシートの裏面印刷を行なうためにシートが下方へ向けて搬送される再搬送路が形成されている。また、内側ガイド板には付勢部材が設けられており、該付勢部材は、内側ガイド板を本体フレームに押圧するとともに、側部カバー部材を装置本体に押圧している。
【先行技術文献】
【特許文献】
【０００５】
【特許文献１】特許第３５８２５３１号公報
【発明の概要】
【発明が解決しようとする課題】
【０００６】
しかしながら、特許文献１に記載の画像形成装置は、主搬送路が装置本体側に設けられており、再搬送路が反転搬送ユニット側に設けられているため、湾曲した搬送路内でシートが詰まった場合にシートを取り除く際の作業性が低かった。また、内側ガイド板を開放した状態で側部カバー部材を開放できるようにする場合等には、開放するためのスペースを確保する必要があり装置が大型化することが避けられず、一般的には何れかを開放する場合には他方を閉じなければならなかった。このような構成の画像形成装置において、側部カバー部材を反転搬送ユニット側に設ければ作業性の向上が見込めるが、開閉部が閉じられた状態において、各搬送路のシートの厚み方向の寸法について高い精度を確保することが難しかった。
【０００７】
そこで、本発明は、開閉部に形成された搬送路で発生するシートの詰まりを容易に解除可能で、かつ開閉部に設けられた第１の移動部に支持される第２の移動部が本体部と形成する搬送路の高い寸法精度を確保可能なシート搬送装置及びこれを備える画像形成装置を提供することを目的とする。
【課題を解決するための手段】
【０００８】
本発明は、シート搬送装置において、シートを搬送する搬送部を有する本体部と、前記本体部に対して開閉可能に支持される開閉部と、前記開閉部との間でシートが搬送される第１の搬送路を形成する第１の位置及び前記第１の搬送路が開放される第２の位置に移動可能に支持される第１の移動部と、前記第１の移動部に対して移動可能に支持される第２の移動部と、前記本体部に設けられ、前記開閉部が閉じられた状態で前記第２の移動部に当接することで第２の移動部を位置決めし、前記第２の移動部と共に第２の搬送路を構成するガイド部材と、を備える、ことを特徴とする。
【発明の効果】
【０００９】
本発明によると、第１の搬送路の近傍でシートが詰まった場合には、開閉部及び第１の移動部のみを操作すれば良く、シートの詰まりを容易に解除できる。また、ガイド部材に対する第２の移動部の高い位置精度を確保でき、構成部品間の累積公差が小さくなることで、第２の搬送路におけるシートの厚み方向の寸法について高い精度を確保することができると共に、シートの詰まりの発生を抑制することができる。
【図面の簡単な説明】
【００１０】
【図１】第１の実施の形態に係る画像形成装置を模式的に示す断面図で、（ａ）はドア閉鎖状態における全体の概略構成を示す断面図、（ｂ）はドアの概略構成を示す断面図。
【図２】ドアの開放状態を示す全体の断面図。
【図３】内側搬送ガイドが回動した状態を示すドアの断面図。
【図４】第２の実施の形態に係る画像形成装置のドアの開放状態を模式的に示す断面図。
【発明を実施するための形態】
【００１１】
＜第１の実施の形態＞
以下、第１の実施の形態について説明する。本実施の形態に係る画像形成装置並びにシート搬送装置としてのプリンタ１は、電子写真方式のレーザビームプリンタである。プリンタ１は、図１（ａ）に示すように、積載されたシートＳを給送するシート給送装置２０と、シートＳに画像を形成する画像形成手段としての画像形成部１０と、形成された画像をシートＳに定着する定着部５０と、を有している。
【００１２】
プリンタ１に画像形成の指令が入力されると、プリンタ１に接続された外部のコンピュータ等から画像情報がプリンタ１に入力されて、画像形成部１０による画像形成プロセスが開始される。図示しないレーザスキャナは、入力された画像情報に基づいて、画像形成部１０に設けられた感光ドラム１１にレーザ光を照射する。このとき感光ドラム１１は、図示しない帯電ローラにより予め帯電されており、レーザ光が照射されることで感光ドラム１１上に静電潜像が形成される。その後、図示しない現像ローラによりこの静電潜像が現像され、感光ドラム１１の円筒面上にトナー像が形成される。
【００１３】
シート給送装置２０は、シートＳを積載して収納する給送カセット２１と、複数の回転するローラを備える給送分離手段２２と、給送分離手段２２により搬送されるシートＳを案内する給送搬送路１１１と、を有する。給送搬送路１１１は、シートＳの画像形成部１０で画像が形成される面に対向する、図２に示す本体ガイド部としての上部給送ガイド面３３と、画像形成部１０で画像が形成されない面に対向する下部給送ガイド面１１２と、から構成される。
【００１４】
上述の画像形成プロセスと並行して、給送分離手段２２は、給送カセット２１から一枚ずつ分離したシートＳを給送搬送路１１１を通じて搬送する。給送搬送路１１１の下流には、上流受け渡し搬送路１０６が連通しており、上流受け渡し搬送路１０６の下流には、下流受け渡し搬送路１０７が連通している。ここで、下流とは、シートＳの搬送方向における下流を意味し、上流とは、シートＳの搬送方向における上流を意味し、以下、同様とする。
【００１５】
上流受け渡し搬送路１０６は、下部給送ガイド面１１２の下流に連通する上流受け渡しガイド面２０５ａと、上部給送ガイド面３３とから構成される。下流受け渡し搬送路１０７は、上流受け渡しガイド面２０５ａの下流に連通する下流受け渡しガイド面３２ａと、上部給送ガイド面３３と、から構成される。給送分離手段２２により搬送されたシートＳは、上流受け渡し搬送路１０６と、下流受け渡し搬送路１０７と、を経由して、搬送部としてのレジストレーションローラ対３０に搬送される。
【００１６】
レジストレーションローラ対３０の下流には、画像形成部１０が設けられており、レジストレーションローラ対３０と画像形成部１０とは主搬送路１０１を介して接続されている。レジストレーションローラ対３０は、シートＳに撓みを形成して斜行を補正し、回転しながら所定の搬送タイミングでシートＳを主搬送路１０１を通じて画像形成部１０に搬送する。画像形成部１０に設けられて回転する感光ドラム１１の円筒面上に形成されたトナー像は、画像形成部１０において転写ローラ４１から転写バイアスが印加されてシートＳに転写される。
【００１７】
定着部５０は、画像形成部１０の下流に設けられており、図示しないヒータを内蔵した加熱ローラ５１と、加熱ローラ５１に圧接された加圧ローラ５２と、を備える。トナー像が転写されたシートＳは、主搬送路１０１により略鉛直上方へ案内されて、加熱ローラ５１及び加圧ローラ５２によって加熱及び加圧されて、トナー像がシートＳに定着される。
【００１８】
主搬送路１０１の下流端には、揺動軸Ｄを中心として揺動することでシートＳの搬送経路を切り替え可能な排出フラッパ６４が設けられている。シートＳの片面のみに画像が形成される場合には、定着部５０でトナー像が定着されたシートＳは、排出フラッパ６４により排出搬送路１０３へ案内されて、回転する排出ローラ対６０により排出トレイ６５の上に排出される。
【００１９】
シートＳの両面に画像が形成される場合には、定着部５０で第１面にトナー像が定着されたシートＳは、排出フラッパ６４により反転搬送路１０４へ案内されて、回転する両面反転ローラ対６２に導かれる。主搬送路１０１の外側には、再搬送路としての両面搬送路１０２が主搬送路１０１に並設されている。ここで、プリンタ１の中心部に近い側を内側といい、プリンタ１の表面に近い側を外側といい、以下、同様とする。両面搬送路１０２は、シートＳを案内する両面内側ガイド面４２と、両面内側ガイド面４２の外側に配置され、両面内側ガイド面４２に対向する両面外側ガイド面２０６と、から形成される。
【００２０】
両面反転ローラ対６２は、シートＳの後端が所定の反転位置に達すると反転してシートＳをスイッチバックさせ、シートＳを両面搬送路１０２に搬送する。両面搬送路１０２に搬送されたシートＳは、両面搬送路１０２により略鉛直下方へ案内されて、両面搬送路１０２に設けられた回転する両面搬送ローラ対２０３によりさらに下流へ搬送される。両面搬送ローラ対２０３は、回転する両面内側搬送ローラ５６と、両面内側搬送ローラ５６に隣接して略平行に配置されている両面外側搬送ローラ２０１と、から構成される。なお、略平行とは、必ずしも主搬送路１０１とドア揺動軸Ａとのなす角が０°にならなくてもよく、例えば０°〜５°でもよい。以下、他の部位の説明における略平行との表現についても同様とする。
【００２１】
両面搬送路１０２の下流に連通して、両面外側ガイド面２０６と連通する外側搬送ガイド面２０７と、両面内側ガイド面４２と連通する内側搬送ガイド面２０４ａと、から第１の搬送路１０８が形成されている。また、第１の搬送路１０８の下流に連通して、外側搬送ガイド面２０７と連通する合流内側ガイド面７０と、合流内側ガイド面７０に対向する上流受け渡しガイド面２０５ａと、から合流搬送路１０５が形成されている。合流搬送路１０５の下流には、上流受け渡し搬送路１０６が連通しており、合流搬送路１０５、上流受け渡し搬送路１０６及び下流受け渡し搬送路１０７により、第２の搬送路１０９が形成されている。第１の搬送路１０８及び第２の搬送路１０９により、両面搬送路１０２の下流端と主搬送路１０１の上流端とを連通する、略Ｕ字状に湾曲した湾曲搬送路１２０が形成されている。また、給送搬送路１１１と湾曲搬送路１２０とは、上流受け渡し搬送路１０６で合流する。
【００２２】
両面搬送ローラ対２０３により第１の搬送路１０８へ搬送されたシートＳは、第２の搬送路１０９を通じて、湾曲搬送路１２０に設けられた再給送ローラ対２０２により、再びレジストレーションローラ対３０へ搬送される。レジストレーションローラ対３０により搬送されたシートＳは、画像形成部１０で第２面に画像が形成されて、定着部５０で画像が定着された後に排出フラッパ６４を経由して、排出ローラ対６０により排出トレイ６５の上に排出される。
【００２３】
次いで、本発明の要部である、プリンタ１の内部で搬送中のシートＳが詰まった場合にプリンタ１の一部を開放して詰まりを解除可能な構造について説明をする。プリンタ１は、図１（ｂ）及び図２に示すように、シート給送装置２０が配置される本体部１００と、本体部１００に対して開閉可能に支持される開閉部としてのドア２００と、を有し、ドア２００は、ドア揺動軸Ａを中心として揺動可能に設けられている。
【００２４】
本体部１００には、レジストレーションローラ対３０、主搬送路１０１、両面内側搬送ローラ５６、両面内側ガイド面４２及び合流内側ガイド面７０等が配置されている。また、本体部１００には、下流受け渡しガイド面３２ａを有するガイド部材としての下流受け渡しガイド３２が、上部給送ガイド面３３に対して固定して設けられている。ドア揺動軸Ａは、本体部１００の下端近傍に配置され、主搬送路１０１と略平行でかつシートＳの主搬送路１０１における搬送方向と略垂直となるように設けられている。なお、略垂直とは、必ずしもシートＳの搬送方向とドア揺動軸Ａとのなす角が９０°にならなくてもよく、例えば８５°〜９５°でもよい。以下、他の部位の説明における略垂直との表現についても同様とする。
【００２５】
ドア２００には、両面外側ガイド面２０６、外側搬送ガイド面２０７、両面外側搬送ローラ２０１及び再給送ローラ対２０２が配置されている。また、ドア２００には、内側搬送ガイド面２０４ａを有する第１の移動部としての内側搬送ガイド２０４と、上流受け渡しガイド面２０５ａを有する第２の移動部としての上流受け渡しガイド２０５と、が設けられている。
【００２６】
ドア２００の閉鎖状態においては、ドア２００の上端近傍に配置された図示しない係止部と、本体部１００の図示しない被係止部が係合し、ドア２００は、本体部１００に係止される。また、ドア２００は、操作者に操作されてドア２００の本体部１００に対する係止を解除する図示しない操作部を有する。また、ドア２００の閉鎖状態においては、係止部が被係止部に係合してドア２００が本体部１００に係止され、両面内側ガイド面４２と両面外側ガイド面２０６とが近接して両面搬送路１０２が形成される。更に、上流受け渡しガイド面２０５ａと、合流内側ガイド面７０及び上部給送ガイド面３３と、が近接して、合流搬送路１０５及び上流受け渡し搬送路１０６が形成されて、両面搬送路１０２及び湾曲搬送路１２０でシートＳを搬送可能な状態となる。
【００２７】
ドア２００は両側に図示しない側板を有し、該側板には、ドア揺動軸Ａと略平行に設けられた第１の軸Ｂを中心に内側搬送ガイド２０４が回動可能、即ち移動可能に支持されている。内側搬送ガイド２０４は、図１の（ｂ）における第１の回動方向としての方向Ｘに回動しようとするときに、ドア２００に当接する図示しない第１のストッパー部を有している。また、内側搬送ガイド２０４には、上記第１の軸Ｂよりドア揺動軸Ａに近い位置でかつ第１の軸Ｂと略平行な第２の軸Ｃを中心に上流受け渡しガイド２０５が回動可能、即ち移動可能に支持されている。上流受け渡しガイド２０５には、図１の（ｂ）における方向Ｘとは反対の第２の回動方向としての方向Ｙに所定角以上回動しようとするときに、内側搬送ガイド２０４に当接する図示しない第２のストッパー部を有している。第２のストッパー部は、ドア２００の開放状態においては内側搬送ガイド２０４に当接し、ドア２００の閉鎖状態においては内側搬送ガイド２０４に当接しないように構成されている。
【００２８】
また、ドア２００と上流受け渡しガイド２０５との間には、１本のばね線により形成された付勢部としてのねじりコイルばね２０９が設けられている。ねじりコイルばね２０９は、第１の軸Ｂの周囲にらせん状に形成されるコイル部２０９ｃと、コイル部２０９ｃの一端に形成された固定端２０９ｂと、コイル部２０９ｃの他端に形成された付勢端２０９ａと、を有している。固定端２０９ｂ及び付勢端２０９ａは、夫々コイル部２０９ｃの軸方向に対して略垂直方向へ直線的に延設されている。
【００２９】
固定端２０９ｂはドア２００の側板に固定され、付勢端２０９ａは上流受け渡しガイド２０５の接触部２０５ｂに接触して方向Ｙに上流受け渡しガイド２０５を回動付勢し、接触部２０５ｂは、ドア揺動軸Ａに対して第２の軸Ｃより離れた位置に配置されている。これにより、ドア２００の閉鎖状態において、上流受け渡しガイド２０５は、付勢端２０９ａによる方向Ｙの力により第２の軸Ｃを中心として下流受け渡しガイド３２に押し付けられる。
【００３０】
上流受け渡しガイド２０５は、上部での下流受け渡しガイド３２との当接により該当接点を支点として付勢端２０９ａでの付勢力により第２の軸Ｃに方向Ｘのモーメントを生じる。該モーメントは、第１の軸Ｂを中心として内側搬送ガイド２０４に作用する。これにより、内側搬送ガイド２０４は、ドア２００に第１のストッパー部を方向Ｘのモーメントからなる第２の付勢力で押し付けられ、内側搬送ガイド２０４及び上流受け渡しガイド２０５の位置が定まる。
【００３１】
ドア２００は、本体部１００に対して閉じられた閉鎖状態から略９０°傾動して、両面搬送路１０２及び湾曲搬送路１２０でシートＳを搬送しない開放状態となる。なお、略９０°とは、必ずしも閉鎖状態のドア２００と開放状態のドア２００とのなす角が９０°にならなくてもよく、例えば８０°〜１００°でもよい。
【００３２】
ドア２００の開放状態においては、両面内側ガイド面４２と両面外側ガイド面２０６とが離間して両面搬送路１０２が開放する。更に、ドア２００の開放状態においては、上流受け渡しガイド面２０５ａと、合流内側ガイド面７０及び上部給送ガイド面３３と、が離間して、合流搬送路１０５及び上流受け渡し搬送路１０６が開放する。
【００３３】
ドア２００の開放状態においても、ドア２００の閉鎖状態と同様に、上流受け渡しガイド２０５は付勢端２０９ａによって方向Ｙに付勢されている。このとき、ねじりコイルばね２０９の撓み角はドア２００の閉鎖状態における撓み角より縮小し、上流受け渡しガイド２０５は、第２のストッパー部で内側搬送ガイド２０４と当接する。このため、内側搬送ガイド２０４は、ねじりコイルばね２０９により、ドア２００の閉鎖状態における第２の付勢力より小さい第１の付勢力でドア２００に押し付けられる。
【００３４】
次いで、図３に沿ってドア２００の開放状態における内側搬送ガイド２０４の動作について説明する。ねじりコイルばね２０９の付勢力に抗して上流受け渡しガイド２０５と一体で内側搬送ガイド２０４が回動すると、内側搬送ガイド面２０４ａと外側搬送ガイド面２０７とが離間して、内側搬送ガイド２０４は、第１の搬送路１０８が開放する第２の位置となる。内側搬送ガイド２０４は、少なくとも８０°以上である所定の角度まで回動可能に設けられている。
【００３５】
また、内側搬送ガイド２０４は、ドア２００が少なくとも８０°開放した状態において、本体部１００に接触することなく第１の位置から第２の位置へ回動可能に設けられている。内側搬送ガイド２０４は、第２の位置に位置するとき、作業者が手を離す等により内側搬送ガイド２０４の回動方向に作用する外力が無くなると、ねじりコイルばね２０９の付勢力により第１の位置に復帰する。
【００３６】
以上のように、プリンタ１に開閉可能なドア２００を設けて両面搬送路１０２、第１の搬送路１０８、合流搬送路１０５、上流受け渡し搬送路１０６を開放可能としたので、搬送されるシートＳの詰まりを容易に解除することができる。具体的には、両面搬送路１０２又は上流受け渡し搬送路１０６でシートＳの詰まりが発生した場合には、ドア２００が開かれて両面搬送路１０２及び上流受け渡し搬送路１０６が開放することで、滞留したシートＳを容易に除去可能な状態となる。
【００３７】
また、例えば、第１の搬送路１０８でシートＳの詰まりが発生した場合には、ドア２００の開放状態において、内側搬送ガイド２０４が回動されて第２の位置になると、第１の搬送路１０８が開放して、滞留したシートＳを容易に除去可能な状態となる。このように、シートＳの詰まりが発生した際に、開閉を要する部位が少ないので、滞留したシートＳを除去して容易に詰まりを解除することができる。
【００３８】
第１の搬送路を開放する場合には、内側搬送ガイド２０４と上流受け渡しガイド２０５とは、一体でドア２００と本体部１００との間の空間で、本体部１００に触れることなく第１の位置から第２の位置へ回動して、第１の搬送路１０８を開放できる。これにより、内側搬送ガイド２０４と上流受け渡しガイド２０５とを開放するためにそれぞれ異なるスペースを確保する必要が無く、プリンタ１を小型化することができる。
【００３９】
上流受け渡しガイド２０５は、ドア２００の閉鎖状態において、ねじりコイルばね２０９の付勢力により下流受け渡しガイド３２に押し付けられて位置決めされている。このため、下流受け渡しガイド３２に対する上流受け渡しガイド２０５の高い位置精度を確保でき、構成部品間の累積公差を小さくできる。これにより、下流受け渡しガイド３２の寸法精度、及び上部給送ガイド面３３に対する下流受け渡しガイド３２の位置精度を適切に管理することで、上流受け渡し搬送路１０６のシートＳの厚み方向の寸法について高い精度を確保することができる。また、同時に、上流受け渡しガイド面２０５ａに対する下流受け渡しガイド面３２ａの位置についても高い精度を確保することができるので、これらの効果によってシートの詰まりの発生を効果的に抑制することができる。
【００４０】
ドア２００の開放状態においては、ドア２００の閉鎖状態と比較してねじりコイルばね２０９の撓み角が拡大するように構成されている。即ち、内側搬送ガイド２０４は、ドア２００の開放状態においてはドア２００の閉鎖状態より強い付勢力でドア２００に近づく方向に付勢されている。これにより、作業者は、ドア２００の開放状態においては、比較的に軽い力で内側搬送ガイド２０４の回動操作をすることができる。また、ドア２００の閉鎖状態においては、内側搬送ガイド２０４がシートＳの搬送時に受ける力等により第１の搬送路１０８が開放することなく、内側搬送ガイド２０４を十分に強い付勢力で第１の位置に保持することができる。
【００４１】
上流受け渡しガイド２０５の付勢と内側搬送ガイド２０４の付勢とを、単一のねじりコイルばね２０９で行っているので、部品点数を削減することができる。
【００４２】
なお、本実施の形態においては、単一のねじりコイルばね２０９で上流受け渡しガイド２０５と内側搬送ガイド２０４とを付勢することとしたが、ねじりコイルばね２０９は、複数設けてもよい。この場合は、第１の軸Ｂ方向における付勢力の偏りを軽減することができる。また、ねじりコイルばね２０９は、上流受け渡しガイド２０５の付勢用と内側搬送ガイド２０４の付勢用とで、別々に設けてもよい。この場合は、それぞれの付勢力を設定する際の自由度を拡大することができる。また、ねじりコイルばね２０９の形態は本実施の形態に限定されず、代わりにダブルトーションばねや圧縮コイルばねとしても良いし、金属性のばね以外のゴム等弾性作用を有する部品を用いてもよい。また、ばね等を設ける代わりに、ドア２００又は上流受け渡しガイド２０５に弾性作用を有する弾性片を一体に形成してもよい。
【００４３】
また、上流受け渡しガイド２０５は、上部給送ガイド面３３に当接することとしてもよい。この場合は、下流受け渡しガイド３２の寸法や位置に寄らず、合流搬送路１０５及び上流受け渡し搬送路１０６におけるシートＳの厚み方向について、高い寸法精度を確保することができ、シートの詰まりの発生を効果的に抑制することができる。
【００４４】
＜第２の実施の形態＞
次いで、本発明の第２の実施の形態について説明する。第２の実施の形態は、図４に示すように、第１の実施の形態の下流受け渡しガイド３２に相当する下流受け渡しガイド１３２を揺動可能に支持したものであり、第１の実施の形態と同様の構成については、図示を省略、又は図に同一符号を付して説明する。
【００４５】
本体部１１０には、レジストレーションローラ対３０、主搬送路１０１、両面内側搬送ローラ５６、両面内側ガイド面４２、合流内側ガイド面７０が配置される。また、本体部１００には、下流受け渡しガイド面３２ａを有するガイド部材としての下流受け渡しガイド１３２が設けられている。
【００４６】
下流受け渡しガイド１３２は、ドア２００の開放状態において、ドア揺動軸Ａと略平行でかつ下流受け渡しガイド１３２の上部に設けられた揺動軸Ｅを中心に、上部給送ガイド面３３に対して揺動可能に支持されている。また、下流受け渡しガイド１３２は、揺動することにより、上部給送ガイド面３３と下流受け渡し搬送路１０７を形成する位置と、下流受け渡し搬送路１０７を開放する位置と、を切り替え可能に設けられている。
【００４７】
下流受け渡しガイド１３２は、下流受け渡しガイド１３２の下端が上部給送ガイド面３３に近づく傾動方向に傾動しようとする際に、本体部１００の図示しない本体ストッパー部に当接する図示しないガイド当接部を有する。ガイド当接部は、ドア揺動軸Ａの方向における搬送されるシートＳの両端より外側に設けられている。また、下流受け渡しガイド１３２は、下流受け渡しガイド１３２の下端が上部給送ガイド面３３に近づく傾動方向に、図示しない本体付勢部材によって付勢されている。下流受け渡しガイド１３２のガイド当接部が本体ストッパー部に本体付勢部材による付勢力によって押し付けられて下流受け渡しガイド１３２の位置が定まる。また、下流受け渡しガイド１３２は、ドア２００の開放状態において、操作者が指を掛ける等により、本体付勢部材の付勢力に抗して下流受け渡しガイド１３２を傾動可能な手掛け部１３２ａを有する。
【００４８】
以上のように、揺動可能な下流受け渡しガイド３２を設けて、下流受け渡し搬送路１０７を開放可能としたので、搬送されるシートＳの詰まりを容易に解除することができる。具体的には、下流受け渡し搬送路１０７でシートＳの詰まりが発生した場合は、ドア２００の開放状態において、下流受け渡しガイド３２が傾動されて下流受け渡し搬送路１０７が開放することで、滞留したシートＳを容易に除去可能な状態となる。
【符号の説明】
【００４９】
１：画像形成装置／１０：画像形成手段／３０：搬送部（レジストレーションローラ対）／３２、１３２：ガイド部材／３３：本体ガイド部／１００：本体部／１０１：主搬送路／１０２：再搬送路／１０８：第１の搬送路／１０９：第２の搬送路／１２０：湾曲搬送路／２００：開閉部（ドア）／２０４：第１の移動部（内側搬送ガイド）／２０５：第２の移動部（上流受け渡しガイド）／Ｂ：第１の軸／Ｃ：第２の軸／Ｓ：シート／Ｘ：第１の回動方向／Ｙ：第２の回動方向
【図１】
2018076129.tif 000003
【図２】
2018076129.tif 000004
【図３】
2018076129.tif 000005
【図４】
2018076129.tif 000006